(57)【特許請求の範囲】
【請求項１】
図柄変動表示装置に複数の図柄を順次高速で移動表示した後、該図柄の移動表示を停止させ、停止図柄が、予め定めた特別の賞態様である場合に、遊技者に特別の遊技を行わせる遊技機であって、
前記図柄変動表示装置に停止表示させる停止図柄を決定する停止図柄決定手段と、
前記図柄変動表示装置による、図柄の変動開始から変動停止までの図柄変動のパターンを、予め複数種類記憶した変動パターン記憶手段と、
前記停止図柄決定手段によって決定された停止図柄にもとづいて、前記変動パターン記憶手段に記憶された複数種類の図柄変動のパターンのいずれかを選択する変動パターン選択手段と、
前記変動パターン選択手段によって選択された図柄変動のパターンに従って、前記図柄変動表示装置による図柄変動を制御する図柄変動制御手段とを備えた遊技機において、
上記変動パターン記憶手段は、複数種類のパターンのうちから図柄変動の状態変化及び図柄変動の時間において共通した部分を構成パターンとして抽出し、この抽出した各構成パターン毎に、前記図柄変動表示装置の図柄変動の状態変化を記憶する構成パターン記憶手段と、
前記構成パターン記憶手段に記憶された構成パターンの組合せにより、図柄の変動開始から変動停止までを制御するための図柄変動の組み合わせパターンを記憶した組合せパターン記憶手段と、
を備えたことを特徴とする遊技機。
【発明の詳細な説明】
【０００１】
【発明の属する技術分野】
この発明は、複数種類の図柄を順次可変表示する遊技機に関するものである。
【０００２】
【従来の技術】
従来、この種の遊技機としては、図柄変動表示装置に複数の図柄を順次高速で移動表示した後、該図柄の移動表示を停止させ、停止図柄が、予め定めた特別の賞態様である場合に、遊技者に特別の遊技を行わせる遊技機であって、前記図柄変動表示装置に停止表示させる停止図柄を決定する停止図柄決定手段と、前記図柄変動表示装置による、図柄の変動開始から変動停止までの図柄変動のパターンを、予め複数種類記憶した変動パターン記憶手段と、前記停止図柄決定手段によって決定された停止図柄にもとづいて、前記変動パターン記憶手段に記憶された複数種類の図柄変動のパターンのいずれかを選択する変動パターン選択手段と、前記変動パターン選択手段によって選択された図柄変動のパターンに従って、前記図柄変動表示装置による図柄変動を制御する図柄変動制御手段とを備えた遊技機が知られていた。
【０００３】
【発明が解決しようとする課題】
しかし、上記した従来の遊技機では、複数種類にわたって記憶された、図柄の変動開始から変動停止までの図柄変動のパターンには、各々共通した構成パターン部分を有しているにもかかわらず、各々独立して構成されていた。
このため、複数種類の図柄変動のパターンの各々で、共通する部分に変更を必要とする場合であっても、各パターンは独立して構成されているために、各々の図柄変動のパターン毎に変更する必要があり、図柄変動のパターンの一部の変更にも、多くの手数を要するといった問題点があった。
【０００４】
そこで、請求項１記載の遊技機は、上記した従来の技術の有する問題点に鑑みてなされたものであり、その目的とするところは、複数種類のパターンに共通した構成パターンを抽出し、共通した構成パターンの内容をを変更することで、複数種類の図柄変動のパターンの内容の一部変更を容易に行うことのできる遊技機を提供しようとするものである。
【０００５】
【課題を解決するための手段】
本発明は、上記した目的を達成するためのものであり、以下にその内容を図面に示した実施例を用いて説明する。
請求項１記載の遊技機は、変動パターン記憶手段(140)は、複数種類のパターンのうちから図柄変動の状態変化及び図柄変動の時間において共通した部分を構成パターンとして抽出し、この抽出した各構成パターン毎に、図柄変動表示装置(40)の図柄変動の状態変化を記憶する構成パターン記憶手段(141)と、前記構成パターン記憶手段(141)に記憶された構成パターンの組合せパターンを記憶した組合せパターン記憶手段(142)とを備えたことを特徴とする。
【０００６】
したがって、請求項１記載の遊技機によれば、変動パターン選択手段は、停止図柄決定手段が決定した停止図柄にもとづいて、変動パターン記憶手段(140)に記憶された複数種類の図柄変動のパターンのいずれかを選択する。
図柄変動制御手段は、前記変動パターン選択手段が選択したいずれかの図柄変動のパターンに従って図柄変動制御装置による図柄変動を制御する。
【０００７】
変動パターン記憶手段(140)は、複数種類のパターンのうちから図柄変動の状態変化及び図柄変動の時間において共通した部分を構成パターンとして抽出し、この抽出した各構成パターン毎に、図柄変動表示装置(40)の図柄変動の状態変化を記憶する構成パターン記憶手段(141)と、前記構成パターン記憶手段(141)に記憶された構成パターンの組合わせにより、図柄の変動開始から変動停止までを制御するための図柄変動の組み合わせパターンを記憶した組合せパターン記憶手段(142)とを備えている。
【０００８】
したがって、構成パターン記憶手段(141)に記憶された、複数種類のパターンに共通した構成パターンの１つを変更することで、組合せパターン記憶手段(142)に記憶された、複数種類の図柄変動のパターンの内容を一度に変更することが容易にできる。
【０００９】
【発明の実施の形態】
図１〜９は、本発明の実施の形態の一例を示すものであり、図１は本発明の概略構成を示したブロック図、図２はパチンコ機の概略正面図、図３は遊技部の拡大正面図、図４〜９は各回転リールの動作を説明するためのタイムチャートを各々示す。
【００１０】
図２中、10は、遊技機としてのパチンコ機を示すものであり、このパチンコ機10は、その前面には遊技盤20を有し、遊技盤20の表面には、ガイドレール21で囲まれた遊技部30を備えている。なお、図示しないが遊技盤20の表面には、複数の釘が打設され、遊技部30内を流下する打球は、釘に当たって、その流下方向に変化が与えられる。
【００１１】
上記遊技部30内には、図３に示すように、そのほぼ中央に図柄変動表示装置40が配置されている。この図柄変動表示装置40は、図３に示すように、その前面に横並びに３分割された表示窓41が設けられている。また、この表示窓41の奧には、図３に示すように、横並びに並んだ３列の回転リール50〜52が設けられている。各回転リール50〜52は、その外周に、複数種類の図柄、本実施の形態では、「１」〜「９」までの「数字53」が表示されている。また、各回転リール50〜52は、図示しないが、それぞれモータ、例えばステッピングモータによって個別に回転可能に駆動されている。そして、回転リール50〜52が回転することで、前記表示窓41を介して、外周に表示された図柄、本実施の形態では例えば「１」〜「９」までの数字53を連続的に変動表示することができる。
【００１２】
また、各回転リール50〜52は、図３に示すように、それぞれ回転の停止時において、表示窓41の高さ中央の位置に１個の図柄を表示することができ、３個の回転リール50〜52が回転を停止した状態で、その高さ位置の中央に並んだ３個の図柄の組合せが如何によって遊技者に特別の利益が与えられる。
また、上記図柄変動表示装置40の下には、図３に示すように、チューリップ型の始動口60が設けられている。この始動口60は、図３に示すように、その内部に打球の入球を検出すると、前記図柄変動表示装置40による図柄の変動表示を開始させる入球センサ61が設けられている。そして、この始動口60に打球が入球すると、前記入球センサ61が打球を検出し、図柄変動表示装置40による図柄の変動表示が開始される。
【００１３】
なお、図柄変動表示装置40には、図３に示すように、表示窓41の上方に、４個のＬＥＤからなる保留球記憶ランプ70が設けられている。この保留球記憶ランプ70は、図柄変動表示装置40が図柄を変動表示している間に、打球が始動口60に入球した場合に、最大４個までを保留球として記憶して点灯表示し、保留球ランプのＬＥＤが点灯した数に応じた回数だけ、図柄変動表示装置40による図柄の変動表示を行わせるものである。
【００１４】
前記始動口60の下方には、図３に示すように、アタッカータイプの変動入賞装置80が設けられている。この変動入賞装置80は、図３に示すように、その前面開口に、開閉可能な開閉扉81を備えている。この開閉扉81は、常時は、その前面開口を閉止することによって、前面開口を介して変動入賞装置80内に遊技球が入球するのを阻止する。一方、遊技者に特別の利益を与える場合には、前側に倒れることによって、前面開口を開放し、変動入賞装置80内に遊技球が入球するのを容易にする。
【００１５】
そして、変動入賞装置80内に、打球が入球すると、所定数の打球が遊技者に払い出される。
また、遊技部30内には、図には示さないが、遊技球が入球すると、遊技者に対して、賞球を払い出す入賞口が複数個設けられている。
また、上記変動入賞装置80の下方であって、内側のガイドレール21の下端内縁を臨む位置には、図３に示すように、発射された打球のうち、前記始動口60、変動入賞装置80や他のいずれの入賞口にも入球しなかった打球をアウト球として回収するための略長円状の回収口90が設けられている。
【００１６】
上記遊技盤20の下方には、図２に示すように、遊技盤20に発射する遊技球を一時貯留するための上部貯留皿91が設けられ、この上部貯留皿91の下方には、上部貯留皿91に貯留しきれない遊技球を貯留するための下部貯留皿92が設けられている。
また、前記下部貯留皿92の右側には、図２に示すように、遊技部30内に遊技球を発射するためのハンドル状の打球発射装置93が設けられている。なお、この打球発射装置93は、ハンドル94の回転角度を変更することで、遊技部30内に発射する遊技球のスピードを調整することができる。
【００１７】
つぎに図１を用いて、遊技機としてのパチンコ機の制御回路の概略について説明する。
パチンコ機10の制御回路は、図１に示すように、ＣＰＵを中心にＲＯＭ、ＲＡＭなどの周辺機器から構成された電子的制御装置100を中心に構成されている。そして、電子的制御装置100の入力側には、図１に示すように、始動口60に入球した遊技球を１個ごと検出する入球センサ61が接続されている。
【００１８】
また、電子的制御装置100の出力側には、図１に示すように、図柄変動表示装置40が接続されている。
電子的制御装置100は、図１に示すように、入賞の判定の有無に用いる乱数を発生する乱数発生手段110と、入球センサ61への遊技球の入球を条件に、前記乱数発生手段110によって発生した乱数を抽出する乱数抽出手段111と、前記乱数発生手段110から発生する乱数値がとる全領域のうち、予め定められた特定の入賞領域を備えた入賞判定テーブル120と、上記乱数抽出手段111が抽出した１つの乱数値を、前記入賞判定テーブル120と照合して入賞の判定を行う入賞判定手段121と、停止図柄の組合せを複数種類記憶した図柄配列テーブル130と、前記入賞判定手段121からの入賞信号の入力があった場合には、前記乱数抽出手段111が抽出した乱数値にもとづいて、前記図柄配列テーブル130に記憶された停止図柄の組合せから入賞の組合せとなる停止図柄の組合せを決定し、前記入賞判定手段121からの非入賞信号の入力があった場合には、前記図柄配列テーブル130に記憶された停止図柄の組合せの内から非入賞の組合せとなる停止図柄の組合せをランダムに決定する停止図柄決定手段131と、前記図柄変動表示装置40による、図柄の変動開始から変動停止までの図柄変動のパターンを、予め複数種類記憶した変動パターン記憶手段140と、停止図柄決定手段131が決定した停止図柄にもとづいて、前記変動パターン記憶手段140が記憶したパターンから、決定された停止図柄を停止表示可能なパターンを選択する変動パターン選択手段150と、前記変動パターン選択手段150によって選択された図柄変動のパターンに従って、前記図柄変動表示装置40による図柄変動を、変動の開始から変動の停止まで制御する図柄変動制御手段160とを備えている。
【００１９】
また、上記変動パターン記憶手段140は、図１に示すように、複数種類のパターンに共通した構成パターンを抽出し、この抽出した構成パターン（例えば、下記の表１に示す構成パターンａ〜ｒ）毎に、前記図柄変動表示装置40の図柄変動の状態変化を記憶する構成パターン記憶手段141と、前記構成パターン記憶手段141に記憶された構成パターンを組み合わせた組合せパターン（例えば、下記の表２に示す組み合わせパターン１〜６）を記憶した組合せパターン記憶手段142とから構成されている。
【００２０】
【表１】
0003685844.tif 000002
【００２１】
【表２】
0003685844.tif 000003
【００２２】
つぎに、上記構成を備えたパチンコ機10の図柄変動表示装置40における回転リール50〜52の動作の具体的な例を、図４〜９に示すタイムチャートと、表１及２び用いて説明する。なお、上記図面及び表中、左、中、右とあるのは、各回転リール50〜52の位置を意味し、符号ａ〜ｒは各構成パターンを意味する。
まず、各組合せパターンに共通するとともに、左の回転リール50、右の回転リール52、中の回転リール51に共通する回転リール50〜52の動作を説明する。
【００２３】
まず、回転リール50〜52の回転開始から立ち上げ変動（構成パターンａ）を行い、立ち上げ変動終了後、高速変動１（構成パターンｂ）を行い、高速変動１（構成パターンｂ）の終了後、補正変動が行われる。
補正変動は、補正変動に入る際の図柄と、既に算出されている補正終了図柄（図中、Ｘの時点の図柄）とを比較して、補正終了時点で、算出されている補正終了図柄となるような補正変動を、予め定められている複数種類の補正変動のなかから抽出し、この抽出した補正パターンに従って補正変動（構成パターンｃ）を行う。
【００２４】
なお、補正終了図柄は、各組合せパターンを示した図４〜９における記号「Ｘ」に示す時点である回転リール50〜52が停止動作に入る際の図柄を意味し、各回転リール50〜52が停止動作に入ってから停止するまでの要する所定の変動図柄数にもとづいて、停止図柄決定手段131によって既に決定された停止図柄から停止動作に入る図柄際の図柄が決定される。例えば図４に示すように、組合せパターン１の左の回転リール50が停止動作に入る構成パターンｄの変動図柄数と、停止図柄とから補正終了図柄を算出し、組合せパターンｃにおいての変動図柄数を決定する。
【００２５】
なお、下記に説明する各組合せパターン（１〜６）ごとの各回転リール50〜52の動作は、上記立ち上げ変動（構成パターンａ）、高速変動（構成パターンｂ）、補正変動（構成パターンｃ）の部分については、各組合せデータにおいて回転リール50〜52の動作が共通することから、その説明を省略する。
まず、第１に、表２に示す組合せパターン１にもとづいた各回転リール50〜52の動作を、図４に示すタイムチャートを用いて説明する。
【００２６】
左の回転リール50の補正変動（構成パターンｃ）の終了後、減速低速変動（構成パターンｄ）を行った後に、回転を停止させ、予め決定された停止図柄に対応する図柄を停止表示させる。
右の回転リール52は、補正変動（構成パターンｃ）終了後、高速変動２（構成パターンｅ）を行う。
【００２７】
そして、減速低速変動（構成パターンｄ）を行った後に、回転を停止させ、予め決定された停止図柄に対応する図柄を停止表示させる。
中の回転リール51は、補正変動（構成パターンｃ）終了後、高速移動３（構成パターンｆ）を２７図柄分行う。そして、減速低速変動（構成パターンｄ）を行った後に、回転を停止させ、予め決定された停止図柄に対応する図柄を停止表示させる。
【００２８】
第２に、表２に示す組合せパターン２にもとづいた回転リール50〜52の動作を、図５に示すタイムチャートを用いて説明する。
左の回転リール50は、補正変動（構成パターンｃ）終了後、減速低速変動（構成パターンｄ）を行った後に、回転を停止させ、予め決定された停止図柄に対応する図柄を停止表示させる。
【００２９】
右の回転リール52は、補正変動（構成パターンｃ）終了後、高速変動２（構成パターンｅ）を行い、減速低速変動（構成パターンｄ）を行った後に、回転を停止させ、予め決定された停止図柄に対応する図柄を停止表示させる。
中の回転リール51は、補正変動（構成パターンｃ）終了後、高速移動３（構成パターンｆ）を行う。そして、リーチ低速変動１（構成パターンｇ）を行った後に、回転を停止させ、予め決定された停止図柄に対応する図柄を停止表示させる。
【００３０】
第３に、表２に示す組合せパターン３にもとづいた回転リール50〜52の動作を、図６に示すタイムチャートを用いて説明する。
左の回転リール50は、補正変動（構成パターンｃ）終了後、減速低速変動（構成パターンｄ）を行った後に、回転を停止させ、予め決定された停止図柄に対応する図柄を停止表示させる。
【００３１】
右の回転リール52は、補正変動（構成パターンｃ）終了後、高速変動２（構成パターンｅ）を行う。
そして、減速低速変動（構成パターンｄ）を５図柄分行った後に、回転を停止させ、予め決定された停止図柄に対応する図柄を停止表示させる。
中の回転リール51は、補正変動（構成パターンｃ）終了後、高速変動３（構成パターンｆ）を行う。
【００３２】
そして、リーチ低速変動２（構成パターンｈ）を行い、リーチ最低速変動１（構成パターンｉ）を行った後に、回転を停止させ、予め決定された停止図柄に対応する図柄を停止表示させる。
第４に、表２に示す組合せパターン４にもとづいた回転リール50〜52の動作を、図７に示すタイムチャートを用いて説明する。
【００３３】
左の回転リール50は、補正変動（構成パターンｃ）の終了後、減速低速変動（構成パターンｄ）を行った後に、回転を停止させ、予め決定された停止図柄に対応する図柄を停止表示させる。
右の回転リール52は、補正変動（構成パターンｃ）終了後、高速変動２（構成パターンｅ）を行い、減速低速変動（構成パターンｄ）を行った後に、回転を停止させ、予め決定された停止図柄に対応する図柄を停止表示させる。
【００３４】
中の回転リール51は、補正変動（構成パターンｃ）終了後、高速変動３（構成パターンｆ）を行う。
そして、リーチ低速変動２（構成パターンｈ）を行った後に、リーチ最低速変動２（構成パターンｊ）を行う。
さらに、一時静止後変動１（構成パターンｋ）を行った後に、回転を停止させ、予め決定された停止図柄に対応する図柄を停止表示させる。
【００３５】
第５に、表２に示す組合せパターン５にもとづいた回転リール50〜52の動作を、図８に示すタイムチャートを用いて説明する。
右の回転リール52は、補正変動（構成パターンｃ）終了後、スーパーリーチ変動１（構成パターンｌ）を行う。そして、スーパーリーチ変動１（構成パターンｌ）を行った後に、同期変動１（構成パターンｎ）を行い、その後回転を停止させ、予め決定された停止図柄に対応する図柄を停止表示させる。
【００３６】
左の回転リール50は、補正変動（構成パターンｃ）終了後、高速変動３（構成パターンｆ）を行い、その後、減速低速変動（構成パターンｄ）を行う。
そして、同期変動１（構成パターンｎ）を行った後に、回転を停止させ、予め決定された停止図柄に対応する図柄を停止表示させる。
したがって、この組合せパターン５においては、タイムチャートの（Ｙ）で示す時点から、同期回転が行われる。この同期回転は、右、左、中の回転リール50〜52の図柄が揃った状態で、同じ回転速度で回転させるものである。
【００３７】
第６に、組合せパターン６にもとづいた回転リール50〜52の動作を、図９に示すタイムチャートを用いて説明する。
左の回転リール50は、補正変動（構成パターンｃ）終了後、スーパーリーチ変動１（構成パターンｌ）を行う。そして同期変動２（構成パターンｏ）を行い、さらに一時静止後変動２（構成パターンｐ）を行った後に、回転を停止させ、予め決定された停止図柄に対応する図柄を停止表示させる。
【００３８】
右の回転リール52は、補正変動（構成パターンｃ）終了後、高速変動２（構成パターンｅ）を行う。
そして、スーパーリーチ変動２（構成パターンｍ）を行い、その後同期変動２（構成パターンｏ）を行う。
さらに、一時静止後変動３（構成パターンｑ）を行った後に、回転を停止させ、予め決定された停止図柄に対応する図柄を停止表示させる。
【００３９】
中の回転リール51は、補正変動（構成パターンｃ）終了後、高速変動３（構成パターンｆ）を行い、つぎに、減速低速変動（構成パターンｄ）を行う。
そして、同期変動２（構成パターンｏ）を行いさらに、一時静止後変動４（構成パターンｒ）を行った後に、回転を停止させ、予め決定された停止図柄に対応する図柄を停止表示させる。
【００４０】
したがって、この組合せパターン６においては、前記組合せパターン５と同様に、タイムチャートの（Ｙ）で示す時点から、同期回転が行われる。
【００４１】
【発明の効果】
本発明は、以上のように構成されているので、以下に記載されるような効果を奏する。
請求項１記載の遊技機によれば、複数種類のパターンに共通した構成パターンを抽出し、共通した構成パターンの内容を変更することで、複数種類の図柄変動のパターンの内容のうち共通する部分を容易に変更することのできる遊技機を提供することができる。
【図面の簡単な説明】
【図１】本発明の概略構成を示したブロック図である。
【図２】パチンコ機の概略正面図である。
【図３】遊技部の拡大正面図である。
【図４】組合せパターン１の各回転リールの動作を説明するためのタイムチャートである。
【図５】組合せパターン２の各回転リールの動作を説明するためのタイムチャートである。
【図６】組合せパターン３の各回転リールの動作を説明するためのタイムチャートである。
【図７】組合せパターン４の各回転リールの動作を説明するためのタイムチャートである。
【図８】組合せパターン５の各回転リールの動作を説明するためのタイムチャートである。
【図９】組合せパターン６の各回転リールの動作を説明するためのタイムチャートである。
【符号の説明】
10  パチンコ機              20  遊技盤
21  ガイドレール            30  遊技部
40  図柄変動表示装置        41  表示窓
50〜52  回転リール          53  数字
60  始動口                  61  入球センサ
70  保留球記憶ランプ        80  変動入賞装置
81  開閉扉                  90  回収口
91  上部貯留皿              92  下部貯留皿
93  打球発射装置            94  ハンドル
100  電子的制御装置         110  乱数発生手段
111  乱数抽出手段           120  入賞判定テーブル
121  入賞判定手段           130  図柄配列テーブル
131  停止図柄決定手段       140  変動パターン記憶手段
141  構成パターン記憶手段   142  組合せパターン記憶手段
150  変動パターン選択手段   160  図柄変動制御手段
【図１】
0003685844.tif 000004
【図２】
0003685844.tif 000005
【図３】
0003685844.tif 000006
【図４】
0003685844.tif 000007
【図５】
0003685844.tif 000008
【図６】
0003685844.tif 000009
【図７】
0003685844.tif 000010
【図８】
0003685844.tif 000011
【図９】
0003685844.tif 000012